(57)【要約】
　【課題】簡単に洗浄ができ、衛生的であると同時に、連結現象を防止する機能も有する粉砕機の構造を提供する。
　【解決手段】主に上部容器本体１と粉砕盤２と連結装置３と粉砕座４と下部容器本体５より構成する。連動棒３３と回転棒３１を外すことにより、粉砕盤２と固定柱３２を上部容器本体１から取り外すことができ、簡単に洗浄ができる。連動棒３３の底部側面に少なくとも１つの撹拌翼３３２を設けることで、連結現象を防止する。
【選択図】図１
0003099231.tif 000002
【実用新案登録請求の範囲】
【請求項１】
　上部容器本体と粉砕盤と連結装置を含む粉砕機において、
　上部容器本体には、底板中央に軸孔を具有する軸ほぞが設けられており、軸ほぞ周縁には若干の貫通孔が設けられており、
　粉砕盤は、上部容器本体底部に設置されており、粉砕盤底面に粉砕盤溝を具有し、中心孔を設けてその周縁の上記貫通孔に対応する位置にはそれぞれ粉砕盤孔が形成されており、これら２つの孔はお互いに通じており、
　連結装置は、回転棒、固定柱、及び連動棒からなり、
固定柱は該中心孔と軸ほぞに嵌入しており、回転棒には段状部を形成して固定柱の固定柱穴に嵌入してその段状部上段のネジ結合部は上記容器本体軸孔を挿通して延長され、連動棒はその底部の接合部ネジ穴と該回転棒先端のネジ結合部と螺合することにより、回転棒と連動すると共に連動棒と回転棒のねじ結合を外すことにより、粉砕盤と固定柱を上部容器本体から取り外すことができることを特徴とする粉砕機。
【請求項２】
上記連動棒の底部側面には少なくとも１つの撹拌翼が設けられていることを特徴とする請求項１記載の粉砕機。
【請求項３】
　上記貫通孔と粉砕盤孔は扇形を呈していることを特徴とする請求項１記載の粉砕機。
【請求項４】
　上記粉砕盤の両側部にはそれぞれ粉砕盤凹部が設けられており、上部容器本体内部の嵌合溝と嵌合されていることを特徴とする請求項１記載の粉砕機。
【請求項５】
　上記固定柱底縁にはストッパー縁部が設けられており、各粉砕盤孔内縁に対応する位置にはストッパーが設けられていることを特徴とする請求項１記載の粉砕機。
【請求項６】
　上記結合部と接合部にはねじ山が形成されており、それにより両者は連結されていることを特徴とする請求項１記載の粉砕機。
【請求項７】
　上記回転棒底部には回転棒孔が設けられており、粉砕座中央の粉砕座ほぞに嵌入しており、連動することを特徴とする請求項１記載の粉砕機。
【請求項８】
　上記連動棒周縁には若干の棒面が設けられていることを特徴とする請求項１記載の粉砕機。
【考案の詳細な説明】
【技術分野】
【０００１】
本考案は、粉砕機に係り、特に粉砕盤を上部容器本体から取り外せる構造にすることにより、簡単に洗浄ができ、衛生的であると同時に、連結現象を防止する機能も有する粉砕機の構造に関わる。
【背景技術】
【０００２】
従来の粉砕機は、下部容器本体の頂部に粉砕座が設けられており、該粉砕座はモーターなどの力により回転し、上部容器本体の底面に粉砕盤が固定されており、食品等は粉砕座と粉砕盤の間で研磨されることで粉末になる構造のものが多かった。
【考案の開示】
【考案が解決しようとする課題】
【０００３】
しかしながら、以上の従来技術によれば、粉砕盤が上部容器本体に固定されており、更に上部容器本体が縦に深い構造であるため、隙間に粉末が挟み込み易く、清掃することが難しいため、非常に不衛生であった。
【特許文献１】実用新案登録第３０３４０６３号そこで本考案は、上記欠点を改善すべく、本考案の考案者がかつて考案した粉砕機の構造を更に改良した、連動棒と回転棒を外すことにより、粉砕盤と固定柱を上部容器本体から取り外すことができる構造にすることにより、簡単に洗浄ができ、衛生的であると同時に、連動棒の底部側面には少なくとも１つの撹拌翼が設けられており、連結現象を防止する機能も有する粉砕機の構造を提供することを課題とする。
【課題を解決するための手段】
【０００４】
　上記課題を解決するために、請求項１の考案は、上部容器本体と粉砕盤と連結装置を含む粉砕機において、上部容器本体には、底板中央に軸孔を具有する軸ほぞが設けられており、軸ほぞ周縁には若干の貫通孔が設けられており、粉砕盤は、上部容器本体底部に設置されており、粉砕盤底面に粉砕盤溝を具有し、中心孔周縁の上記貫通孔に対応する位置にはそれぞれ粉砕盤孔が形成されており、２つの孔はお互いに通じており、連結装置は、固定柱と中心孔と軸ほぞに嵌入しており、回転棒段状部は、固定柱に嵌入しており、上段の結合部は軸孔に伸びており、連動棒は底部の接合部と結合部により連結されているので回転棒と連動し、連動棒と回転棒を外すことにより、粉砕盤と固定柱を上部容器本体から取り外すことができることを特徴とする粉砕機である。
請求項２の考案は、上記連動棒の底部側面には少なくとも１つの撹拌翼が設けられていることを特徴とする請求項１記載の粉砕機である。
請求項３の考案は、上記貫通孔と粉砕盤孔は扇形を呈していることを特徴とする請求項１記載の粉砕機である。
　請求項４の考案は、上記粉砕盤の両側部にはそれぞれ粉砕盤凹が設けられており、上部容器本体内部の嵌合溝と嵌合されていることを特徴とする請求項１記載の粉砕機である。
　請求項５の考案は、上記固定柱底縁にはストッパー縁部が設けられており、各粉砕盤孔内縁に対応する位置にはストッパーが設けられていることを特徴とする請求項１記載の粉砕機である。
　請求項６の考案は、上記結合部と接合部にはねじ山が形成されており、それにより両者は連結されていることを特徴とする請求項１記載の粉砕機である。
　請求項７の考案は、上記回転棒底部には回転棒孔が設けられており、粉砕座中央の粉砕座ほぞに嵌入しており、連動することを特徴とする請求項１記載の粉砕機である。
　請求項８の考案は、上記連動棒周縁には若干の棒面が設けられていることを特徴とする請求項１記載の粉砕機である。
【考案の効果】
【０００５】
　本考案によれば、粉砕盤と上部容器本体の分解が素早くできることにより、残った粉末の除去を簡単に行うことができ、使用上衛生的で安全であると同時に、連動棒の底縁に伸びる撹拌翼により、ゴマ等の連結現象を更に効果的に防ぐ効果が得られる。
【考案を実施するための最良の形態】
【０００６】
　本考案の実施例を図に沿って説明する。
　図１，２，３に示すように、本考案の実施例は、主に上部容器本体１と粉砕盤２と連結装置３と粉砕座４と下部容器本体５より構成されている。
【０００７】
　上部容器本体１は、中空であり、中にゴマ等の材料を投入する。上部容器本体１の頂部は開放状になっており、蓋を被せるようになっている。上部容器本体１の底部には、孤形を呈し中央に軸孔１２を具す、軸ほぞ１１が設けられており、該軸ほぞ１１周縁には若干の貫通孔１３が設けられており、そこからゴマ等が下に落下する。上部容器本体１底部内壁の両側の縦方向には嵌合溝１４が設けられており、粉砕盤２が嵌合されている。
【０００８】
　粉砕盤２は、円形のプレート状を呈しており、底部には粉砕盤溝２１が設けられており（投影角度の関係で表示なし）、粉砕盤２１の両側部の粉砕盤凹部２２は上部容器本体底部１の嵌合溝１４に嵌合されていることで、粉砕座４と同時には回転せず、固定状態を保っている。粉砕盤２の貫通孔に対応する位置にはそれぞれ粉砕盤孔２４が形成されており、２つの孔はお互いに通じており、ゴマ等は貫通孔１３と粉砕盤孔２４を通過し、粉砕盤２と粉砕座４との間で粉砕される。
【０００９】
　連結装置３は、段状の回転棒３１が固定柱３２に嵌入しており、連動棒３３と連結されている。該回転棒３１底部には回転棒孔３１１が設けられており、粉砕座に嵌入しており、粉砕座４と連動する。回転棒段状部３１２中段には固定柱３２頂部の柱孔３２１が引っ掛かっており、軸が外れることはなく、上段にはねじ山が形成されており、連動棒３３の接合部３３１に形成されているねじ山と螺合されており、連動棒３３は回転棒３１と同時に回転する。該連動棒３３の底縁部には少なくとも下向きに１つの撹拌翼３３２が設けられており、連動棒３３と同時に回転し、ゴマ等の原料の連結現象を防止する。固定柱３２は中心孔２３に嵌入しており、底部のストッパー縁３２２と粉砕盤孔２４に対応する位置に設けられたストッパー３２３の働きによって回転することはない。該連動棒３３周縁には若干の棒面３３３が設けられており、手での操作が行い易いようになっている。
【００１０】
　粉砕座４は、頂部に若干放射状を呈する粉砕座溝４１を具有し、粉砕盤溝２１と共にゴマ等を粉砕する。中央の粉砕座ほぞ４４には回転棒孔３１１が嵌入されており、底部の中央には粉砕座孔４２が設けられており、下部容器本体５中央の伝動軸５１と連結されており、連動する。該粉砕座４底部の周縁には若干の羽根４３が伸びており、粉砕後の粉末を出口５２から排出する働きをしている。
【００１１】
　粉砕完了後は、上部容器本体１を下部容器本体５から取り外した後、粉砕座４を下部容器本体５頂部から取り外し、手で連動棒３３を回転させ、回転棒３１から取り外し、他の部品も上部容器本体１底部から取り外し、一般の洗浄方法で洗浄し、残った粉末残滓を取り除くことができる。
【図面の簡単な説明】
【００１２】
【図１】本考案における粉砕機の立体分解図である。
【図２】本考案における分解後の各部品の断面図である。
【図３】本考案における組み立て後の断面図である。
【符号の説明】
【００１３】
１　　　上部容器本体
１１　　軸ほぞ
１２　　軸孔
１３　　貫通孔
１４　　嵌入溝
２　　　粉砕盤
２１　　粉砕盤溝
２２　　粉砕盤凹部
２３　　中心孔
２４　　粉砕盤孔
３　　　連結装置
３１　　回転棒
３１１　回転棒孔
３１２　回転棒段状部
３１３　結合部
３２　　固定柱
３２１　固定柱孔
３２２　ストッパー縁部
３２３　ストッパー
３３　　連動棒
３３１　接合部
３３２　撹拌翼
３３３　棒面
４　　　粉砕座
４１　　粉砕座溝
４２　　粉砕座孔
４３　　羽根
４４　　粉砕座ほぞ
５　　　下部容器本体
５１　　伝動軸
５２　　出口
【図１】
0003099231.tif 000003
【図２】
0003099231.tif 000004
【図３】
0003099231.tif 000005